(57)【要約】【課題】漏れが発生し難いパンツ型紙おむつを提供する【解決手段】トップシート１１、バックシート１２、及びこれらシート間に配置された吸収コア１３からなる吸収体１０と、吸収体１０の両側部に設けられた起立カフスＣと、ウエスト開口部ＷＯ及び左右一対の脚開口部ＬＯと、ウエスト端部に周方向に沿って伸張下に固定されたウエスト伸縮部材２０Ｆ，２０Ｂと、ウエスト端部よりも下方に周方向に沿って伸張下に固定された腰下部伸縮部材２１Ｆ，２１Ｂとを有する、パンツ型紙おむつにおいて；起立カフスＣは、一対の起立シート４０，４０とこれらの間に配された不透液性もしくは疎水性の内部起立シート４０とが張り合わされて形成されるとともに、伸縮部材５０が固着され、この伸縮部材５０の収縮作用によって起立するように構成される。【選択図】図１
2005052670.tif 000002
【特許請求の範囲】
【請求項１】
トップシート、バックシート、及びこれらシート間に配置された吸収コアからなる吸収体と、
吸収体の両側部に設けられた起立カフスと、
ウエスト開口部及び左右一対の脚開口部と、
ウエスト端部に周方向に沿って伸張下に固定されたウエスト伸縮部材と、
前記ウエスト端部よりも下方に周方向に沿って伸張下に固定された腰下部伸縮部材とを有する、パンツ型紙おむつにおいて；
前記起立カフスは、一対の起立シートとこれらの間に配された不透液性もしくは疎水性の内部起立シートとが張り合わされて形成されるとともに、伸縮部材が固着され、この伸縮部材の収縮作用によって起立するように構成されている、
ことを特徴とするパンツ型紙おむつ。
【請求項２】
トップシート、バックシート、及びこれらシート間に配置された吸収コアからなる吸収体と、
吸収体の両側部に設けられた起立カフスと、
ウエスト開口部及び左右一対の脚開口部と、
ウエスト端部に周方向に沿って伸張下に固定されたウエスト伸縮部材と、
前記ウエスト端部よりも下方に周方向に沿って伸張下に固定された腰下部伸縮部材とを有する、パンツ型紙おむつにおいて；
前記起立カフスは、起立シートとこれに固着された伸縮部材とからなり、この伸縮部材の収縮作用によって起立するように構成されており、
前記起立カフスの起立シートの内面は前記バックシートの裏面側に回り込み且つバックシートの裏面に固着されており、前記起立カフスは、前記起立シートの固着部分の始端が起立端とされるとともに、この起立端よりも先端側が製品本体に固定されていない自由部分とされ、この自由部分における先端部および根元部に前記伸縮部材がそれぞれ設けられている、
ことを特徴とするパンツ型紙おむつ。
【請求項３】
トップシート、バックシート、及びこれらシート間に配置された吸収コアからなる吸収体と、
吸収体の両側部に設けられた起立カフスと、
ウエスト開口部及び左右一対の脚開口部と、
ウエスト端部に周方向に沿って伸張下に固定されたウエスト伸縮部材と、
前記ウエスト端部よりも下方に周方向に沿って伸張下に固定された腰下部伸縮部材とを有する、パンツ型紙おむつにおいて；
前記起立カフスは、一対の起立シートとこれらの間に配された不透液性もしくは疎水性の内部起立シートとが張り合わされてなる三重の起立シートにより形成されるとともに、伸縮部材が固着され、この伸縮部材の収縮作用によって起立するように構成されており、
前記三重の起立シートの内面はバックシートの裏面側に回り込み且つバックシートの裏面に固着されており、前記起立カフスは、前記三重の起立シートの固着部分の始端が起立端とされるとともに、この起立端よりも先端側が製品本体に固定されていない自由部分とされ、この自由部分における先端部および根元部に前記伸縮部材がそれぞれ設けられている、
ことを特徴とするパンツ型紙おむつ。
【請求項４】
前記起立カフスの伸縮部材は、太さが１０００ｄｔｅｘ以上であり且つ１５０〜３００％の伸張状態で前記起立シートに固定されており、前記腰下部伸縮部材は太さが８００ｄｔｅｘ以上であり且つ２００〜３５０％の伸張状態で固定されている、請求項１〜３のいずれか１項に記載のパンツ型紙おむつ。
【発明の詳細な説明】
【技術分野】
【０００１】
この発明は、特に夜間に使用するのに好適なパンツ型紙おむつに関する。
【背景技術】
【０００２】
紙おむつとしては、従来、腹側の両側縁部と背側の両側縁部とが予め接合固定されたパンツ型紙おむつと、おむつ使用時（装着時）に腹側の左右両側縁と背側の左右両側縁とを接合するタイプのいわゆるテープ式紙おむつとが開発されている。
【０００３】
パンツ型紙おむつは、下着パンツと同様の形状をなしており、着用のし易さや着用時のボリューム感の少なさから昼間の着用に向いており、テープ式紙おむつはおむつ使用者が胴回りの締め付けを調節できることから、漏れに強い利点があり、夜間、特に就寝時の着用に適している。本発明者らが在宅介護者について調べたところによると、昼間はパンツ型紙おむつを使用し、夜間はテープ式紙おむつを使用する人は漏れ等の問題が殆ど生じていない。
【特許文献１】特開平１０−３１４２２０号公報
【発明の開示】
【発明が解決しようとする課題】
【０００４】
しかしその一方で、テープ式の装着感の悪さから夜間に長時間タイプのパンツ型紙おむつを使用している人が多く、しかもそれらの人は夜間漏れを非常に多く経験しているということが判明した。
【０００５】
そこで本発明の主たる課題は、漏れが発生し難く、夜間排尿量が多い人でも安心して使うことができるパンツ型紙おむつを提供することを主たる課題とする。
【課題を解決するための手段】
【０００６】
上記課題を解決した本発明のうち請求項１記載の発明は、トップシート、バックシート、及びこれらシート間に配置された吸収コアからなる吸収体と、
吸収体の両側部に設けられた起立カフスと、
ウエスト開口部及び左右一対の脚開口部と、
ウエスト端部に周方向に沿って伸張下に固定されたウエスト伸縮部材と、
前記ウエスト端部よりも下方に周方向に沿って伸張下に固定された腰下部伸縮部材とを有する、パンツ型紙おむつにおいて；
前記起立カフスは、一対の起立シートとこれらの間に配された不透液性もしくは疎水性の内部起立シートとが張り合わされて形成されるとともに、伸縮部材が固着され、この伸縮部材の収縮作用によって起立するように構成されている、
ことを特徴とするパンツ型紙おむつである。
【０００７】
また、請求項２記載の発明は、トップシート、バックシート、及びこれらシート間に配置された吸収コアからなる吸収体と、
吸収体の両側部に設けられた起立カフスと、
ウエスト開口部及び左右一対の脚開口部と、
ウエスト端部に周方向に沿って伸張下に固定されたウエスト伸縮部材と、
前記ウエスト端部よりも下方に周方向に沿って伸張下に固定された腰下部伸縮部材とを有する、パンツ型紙おむつにおいて；
前記起立カフスは、起立シートとこれに固着された伸縮部材とからなり、この伸縮部材の収縮作用によって起立するように構成されており、
前記起立カフスの起立シートの内面は前記バックシートの裏面側に回り込み且つバックシートの裏面に固着されており、前記起立カフスは、前記起立シートの固着部分の始端が起立端とされるとともに、この起立端よりも先端側が製品本体に固定されていない自由部分とされ、この自由部分における先端部および根元部に前記伸縮部材がそれぞれ設けられている、
ことを特徴とするパンツ型紙おむつである。
【０００８】
また、請求項３記載の発明は、トップシート、バックシート、及びこれらシート間に配置された吸収コアからなる吸収体と、
吸収体の両側部に設けられた起立カフスと、
ウエスト開口部及び左右一対の脚開口部と、
ウエスト端部に周方向に沿って伸張下に固定されたウエスト伸縮部材と、
前記ウエスト端部よりも下方に周方向に沿って伸張下に固定された腰下部伸縮部材とを有する、パンツ型紙おむつにおいて；
前記起立カフスは、一対の起立シートとこれらの間に配された不透液性もしくは疎水性の内部起立シートとが張り合わされてなる三重の起立シートにより形成されるとともに、伸縮部材が固着され、この伸縮部材の収縮作用によって起立するように構成されており、
前記三重の起立シートの内面はバックシートの裏面側に回り込み且つバックシートの裏面に固着されており、前記起立カフスは、前記三重の起立シートの固着部分の始端が起立端とされるとともに、この起立端よりも先端側が製品本体に固定されていない自由部分とされ、この自由部分における先端部および根元部に前記伸縮部材がそれぞれ設けられている、
ことを特徴とするパンツ型紙おむつである。
【０００９】
これら本発明のパンツ型紙おむつにおいては、前記起立カフスの伸縮部材は、太さが１０００ｄｔｅｘ以上であり且つ１５０〜３００％の伸張状態で前記起立シートに固定されており、前記腰下部伸縮部材は太さが８００ｄｔｅｘ以上であり且つ２００〜３５０％の伸張状態で固定されているのが好ましい。
【発明の効果】
【００１０】
本発明によれば、漏れが発生し難く、夜間排尿量が多い人でも安心して使うことができるパンツ型紙おむつとなる。
【発明を実施するための最良の形態】
【００１１】
以下、本発明の実施の形態について、主に図１によって本発明の部位や方向に関する用語説明をしつつ、図２〜４によって詳細な構造例も含めて説明する。
（基本構成）
この第１の実施形態に係るパンツ型使い捨ておむつは、図１と図２及び図３との対比からも容易に理解されるように、不透液性の外装シート１と、この外装シート１内面に固定され、股下４を中心として縦方向（前後方向）に延在する吸収体１０とから主に構成されている。
【００１２】
外装シート１は２枚（または３枚以上でも良い）の通気・撥水性の不織布を積層固定してなり、この外装シート１の上に起立カフスＣ，Ｃと吸収体１０とを重ね合わせて取り付けた後の製造工程の最終段階で、前身頃Ｆと後身頃Ｂとの両側縁部の長手方向全体を超音波シールや熱溶融などの手段により接合する（この接合部を符号３０としてある）ことにより、図４に示すようにウエスト開口部ＷＯおよび左右一対のレッグ開口部ＬＯが形成された紙おむつとなる。
【００１３】
ここに図１の符号において、「縦方向」とは、腹側と背側を結ぶ方向を意味し、「周方向」とは前記縦方向と直交する方向を意味する。「ウエスト開口縁」とはウエスト開口部ＷＯの縁５を意味し、「レッグ開口縁」とはレッグ開口部ＬＯの縁６を意味する。「レッグ開口始端」とはレッグ開口部ＬＯのレッグ開口縁６と接合部３０と交差する位置を意味し、レッグ開口縁６の始まり個所の意味である。「胴周り部」Ｔとは、ウエスト開口縁５からレッグ開口始端に至る長さ範囲の全体領域を意味する。胴周り部Ｔは、概念的に「ウエスト端部」Ｗと「腰下部」Ｕとに分けることができる。これらの縦方向の長さは、製品のサイズによって異なるが、ウエスト端部Ｗは１５〜５０ｍｍ、腰下部Ｕは４５〜２００ｍｍである。「股部」Ｌとは、レッグ開口部ＬＯを形成する長さ範囲の全体領域を意味する。また、「中央部」とは、製品の中央線を含む側部を除く中間領域を意味する。「脇部」とは、胴周り部Ｔにおける両側部を意味する。
【００１４】
吸収体１０は、図２及び図３にも示すように、不織布などからなり着用者の肌に直接触れる長方形の透液性のトップシート１１と、ポリエチレンプラスチックフィルムなどからなる長方形の不透液性バックシート１２と、これらシート間に配置されたある程度の剛性を有する（半剛性の）長方形の吸収コア１３とから主に構成されている。吸収コアは、綿状パルプを主体とし必要に応じてＳＡＰを含むものである。
【００１５】
特に本例では、吸収コア１３は下層及びこれよりも幅の狭い上層からなる二層構造とされ、その全体が長方形のクレープ紙１４により包むように額巻きされた上で、トップシート１１およびバックシート１２間に配置されている。またトップシート１１は、吸収体１０の両側縁を周り込んで裏面に達し、不透液性バックシート１２に重ねられ、当該重なり部分においてホットメルト接着剤により接着一体化されている。さらに本例では、透液性トップシート１１とクレープ紙１４との間に透液性セカンドシート１１Ｓを介在させている。図示例では、クレープ紙１４上にホットメルト接着剤をスパイラル状に塗工し、その上にセカンドシート１４Ｓを接着固定している。本例では、かかる吸収体１０のほぼ裏面全体が、バックシート１上にホットメルト接着剤により接着されている。
【００１６】
特に本発明では、かかる吸収体１０が、加圧下吸収試験による加圧下吸収量が１３００ｃｃ以上、特に１４００〜１７００ｃｃであると好適である。さらに望ましくは、吸収速度試験による吸収速度が２５秒以下、特に好適には１５秒以下となるように構成される。さらに望ましくは、傾斜表面液流れ試験による１回目、２回目及び３回目の液流れがそれぞれ１００ｍｍ以下、特に好適には８０ｍｍ以下となるように構成される。
【００１７】
このために、例えば吸収コアのパルプ量を３４．０ｇ以上、特に好適には３５．０〜４０．０ｇとし、ＳＡＰ量を２５．０ｇ以上、特に好適には２７．０ｇ〜３９．０ｇとすることができる。また合わせて、トップシート１１及びセカンドシートとしてエアスルー不織布を用いるのも好ましい。
【００１８】
また特に、トップシート１１の目付けを１５〜３０ｇ／ｍ2、かつセカンドシートの目付けを２０〜６０ｇ／ｍ2とし、後述する圧縮試験による圧縮エネルギーＷＣが１５〜４０、かつ圧縮回復性ＲＣが３５以上となるように吸収体１０を構成すると、吸収速度及び表面液流れが良好となるので好ましい。
【００１９】
（起立カフス）
吸収体１０の両側部には、使用面側に突出する脚周り起立カフスＣ，Ｃがそれぞれ形成され、この起立カフスＣは、実質的に幅方向に連続した起立シート４０と、伸縮部材、たとえば糸ゴムからなる一本のまたは図示のように複数本の伸縮部材５０，５０…とにより構成されている。
【００２０】
より詳細には図２に示すように、起立カフスＣは、起立シート４０を三重にして形成される、すなわち一対の起立シート４０，４０とこれらの間に配された不透液性もしくは疎水性の内部起立シート４０とが張り合わされて形成されるとともに、各伸縮部材５０，５０…がホットメルト接着剤などにより固着された状態で包まれたものである。各起立カフスＣ，Ｃを形成する起立シート４０は、透液性でなく不透液性もしくは疎水性であるのが望ましい。本例では起立シート４０を三重にするとともに内部起立シート４０として不透液性に優れた別のシート（フィルム、不織布等）を張り込んで防漏性を高める構成としている。また、不織布などの透液性シートに対してシリコン処理などにより液体をはじく性質となるようにしてもよい。さらに、通気もしくは蒸気透過性を有しているのが望ましい。
【００２１】
三重の起立シート４０の内面は、吸収体１０の不透液性バックシート１２の裏面側に回り込んで外面シートとの間にホットメルト接着剤などにより固着されている。その結果、三重の起立シート４０のこの固着始端は、起立カフスＣの起立端を形成している。この起立端より先端側は、製品本体に固定されていない自由部分である。起立シート４０の縦方向前後端部においては、自由部分の先端が物品の幅方向中央側に向かう状態で物品に、具体的にはトップシート１１外面にホットメルト接着剤などにより固定される。
【００２２】
また、伸縮部材５０，５０…は、少なくとも１本（図示例では２本）が自由部分にあることを基本形態とするが、特にその伸縮部材５０は自由部分の先端部にあることが好ましく、さらに、図示例のように根元側にも伸縮部材５０を有することが好ましい。先端部には、図示のように複数本有するのがさらに望ましい。
【００２３】
特に本発明においては、起立カフスＣ，Ｃの各伸縮部材５０，５０…は、太さが１０００ｄｔｅｘ以上、特に１０００〜２０００ｄｔｅｘのものが好適に用いられ、１５０〜３００％、特に２００〜２５０％の伸張状態で起立シート４０に固定されるのが好ましい。具体的な伸縮部材としては糸ゴムが好適に用いられる。
【００２４】
図１は、紙おむつを長手方向に展開した状態を示しているが、装着時には、紙おむつが舟形に体に装着されるため、また各伸縮部材５０，５０…の収縮力が作用するため、製品の前後端はそのままで、脚周りでは、各伸縮部材５０，５０…の収縮力により起立カフスＣが起立する。そしてこのとき、吸収体１０の側部を変形させ持ち上げ、深いポケット空間が形成される。
【００２５】
左右の起立カフスＣ，Ｃで囲まれる空間は、尿または軟便の閉じ込め空間を形成する。この空間内に排尿されると、その尿は透液性トップシート１１を通り吸収体１０内に吸収されるとともに、軟便の固形分については、起立カフスＣがバリヤーとなり、その乗り越えが防止される。
【００２６】
（起立カフス以外の伸縮部材）
他方、前身頃Ｆ及び後身頃Ｂのウエスト端部Ｗから股部Ｌの間の領域たる腰下部Ｕにおける外装シート１の不織布間には、腰下部伸縮部材２１Ｆ，２１Ｂが周方向に沿って伸張下に配置固定されている。本発明では、これら腰下部伸縮部材２１Ｆ，２１Ｂとしては、太さが８００ｄｔｅｘ以上、特に９００〜１０００ｄｔｅｘのものが好適に用いられ、２００〜３５０％、特に２７０〜２９０％の伸張状態で固定されるのが好ましい。具体的な伸縮部材としては糸ゴム等を好適に用いることができる。
【００２７】
これら腰下部伸縮部材２１Ｆ，２１Ｂは、縦方向の間隔が１５ｍｍ以下とされ、それぞれ平行に５〜４０本設けられるのが好ましい。腰下部伸縮部材２１Ｆ，２１Ｂおける相互間隔は、ウエスト伸縮部材２０Ｆ，２０Ｂの間隔に対して同じか、あるいはそれよりも広いものが望ましい。
【００２８】
また本例ではウエスト周りのフィット性を高めるために、、図３にも示すように、ウエスト端部Ｗにおける外装シート１の不織布間に、ウエスト開口部ＷＯの端縁に平行に間隔を置いて細い糸ゴムからなるウエスト伸縮部材２０Ｆ，２０Ｂが伸長下に配置固定されている。かかるウエスト伸縮部材２０Ｆ，２０Ｂの間隔および本数は適宜定めることができるが、例えば間隔としては４〜８ｍｍ程度、本数としては４〜２０本程度が好ましい。このウエスト伸縮部材２０Ｆ，２０Ｂ及び前述の腰下部伸縮部材２１Ｆ，２１Ｂは、ウエスト端部Ｗおよび腰下部Ｕに設けられる限り、固定位置は外装シート１の不織布間に限られない。
【００２９】
他方、本例では、前身頃Ｆ及び後身頃Ｂの長手方向端部に相当するウエスト端部Ｗにおいて、外装シート１が製品内面側に折り返されており、この折り返し部分１Ｒ，１Ｒの裏面からトップシート１１の前後端部にわたる押えシート９がホットメルト接着等により接着されている。
【００３０】
かくして形成されたおむつにおいては、後述の実施例からも明らかなように、下腹部及び臀部と対応する腰下部Ｕに、太さが８００ｄｔｅｘ以上の腰下部伸縮部材２１Ｆ，２１Ｂを２００〜３５０％の伸張状態で周方向に沿って固定し、下腹部及び臀部を強く締め付けて吸収体１０のフィット性を高めるとともに、吸収体の両側部にある起立カフスＣ，Ｃの伸縮部材５０，５０…の太さを１０００ｄｔｅｘ以上とし且つ起立シート４０に対して１５０〜３００％の伸張状態で固定して、脚周りへの起立カフスＣ，Ｃの締め付けを強くし且つ吸収体１０のフィット性を高め、その上で吸収体１０の加圧下吸収量を１３００ｃｃ以上とし、締め付けを増強したことによる吸収力の低下を補って余りあるようになるため、夜間において排尿量が多い人でも動きの激しい人でも非常に漏れ難くなる。
【００３１】
（その他：伸縮部材の配置形態等）
（イ）  本発明では、腰下部伸縮部材２１Ｆ，２１Ｂを設けることを必須とするものであるが、その具体的な配置については特に限定されず、適宜変更できる。上記図１の配置形態を含めて纏めると、図５の（Ａ）〜（Ｆ）に示すようになる。これらを比較して推測できるように、腰下部伸縮部材２１Ｆ，２１Ｂは、吸収体１０を横断して周方向に連続して配置固定する形態と、吸収体１０が位置する中央部には存在せず、製品の左右脇部のおいてのみ配置固定する形態とを選択的に採ることができる。
【００３２】
また本発明では、ウエスト伸縮部材２０Ｆ，２０Ｂを設けるか否かは適宜選択でき、ウエスト伸縮部材２０Ｆ，２０Ｂを設ける場合には、腰下部伸縮部材２１Ｆ，２１Ｂと同様に、吸収体１０を横断して周方向に連続して配置固定する形態と、吸収体１０が位置する中央部には存在せず、製品の左右脇部においてのみ配置固定する形態とを選択的に採ることができる。したがって、図５の（Ｅ）に示すように、ウエスト伸縮部材２０Ｆ，２０Ｂ、ならびに腰下部伸縮部材２１Ｆ，２１Ｂを、吸収体ＡＢが位置する中央部には存在せず、製品の左右脇部のおいてのみ配置固定し、さらに股部伸縮部材２３を設けない形態とすることもできる。また、図５の（Ｂ）、（Ｃ）等に示すように、股部Ｌについても周方向に沿って且つ伸張下に伸縮部材２３を配設することもできる。
【００３３】
また、腰下部伸縮部材２１Ｆまたは２１Ｂは、格子網状に配設してもよい。この一例が図５の（Ｄ）に示す形態である。この種の形態でも、少なくとも周方向に沿う弾性伸縮部材は上述の太さ及び伸張状態を有するように構成するのが好ましい。
【００３４】
さらに、前身頃Ｆと後身頃Ｂとの間で伸縮部材の配設形態を相違させることもできる。したがって、図５の（Ｆ）に別の実施の形態として示すように、前身頃Ｆにおいてはウエスト伸縮部材２０Ｆおよび腰下部伸縮部材２１Ｆを、吸収体ＡＢが位置する中央部には存在させず、製品の左右脇部のおいてのみ配置固定し、かつ股部伸縮部材２３を設け、後身頃においてはウエスト伸縮部材２０Ｂおよび腰下部伸縮部材２１Ｂを吸収体１０を横断して周方向に連続して配置固定し、かつ股部伸縮部材を設けない形態なども採用できる。
【００３５】
このように伸縮部材の配設形態は適宜であることを付言する。腰下部伸縮部材２１Ｆ，２１Ｂ、または股部伸縮部材２３を、吸収体ＡＢが位置する中央部には存在せず、製品の左右脇部のおいてのみ配置固定する場合において、腰下部伸縮部材２１Ｆ，２１Ｂ端部、または股部伸縮部材２３の端部が吸収体ＡＢの側縁部に重なる場合と、吸収体ＡＢの側縁に達しないで離間する場合との両者を含む。
【００３６】
（ロ）  さらに本発明の紙おむつに対して、付加的に図６に示すような伸縮部材を設けることもできる。図６（Ａ）は、前脇部の端部から股部Ｌのレッグ開口縁にほぼ平行に後脇部の端部に亘って、それぞれ股部伸縮部材２４，２４を外形シート１の不織布間に固定したものである。この形態では、股部伸縮部材２４がレッグ開口部ＬＯを収縮させ、体液の漏れを防止する。
【００３７】
図６（Ｂ）は、前身頃Ｆ及び後身頃Ｂにおいて、左方の脇部の端部から股下部を横断するように右方の脇部の端部に亘って、それぞれ股間・股下部伸縮部材２５Ｆ，２５Ｂを外形シート１の不織布間に固定したものである。また、この例においては、前身頃Ｆ側と後身頃Ｂ側の股間・股下部伸縮部材２５Ｆ，２５Ｂが一部交差する形態としてある。
【００３８】
図６（Ｃ）は、前身頃Ｆ及び後身頃Ｂにおいて、左方の脇部の端部から股下部を横断するように右方の脇部の端部に亘って、それぞれ股間・股下部伸縮部材２６Ｆ，２６Ｂを外形シート１の不織布間に固定したものである。この例においては、股間・股下部伸縮部材２６Ｆ，２６Ｂは交差することなく、股間部において平行する形態としてある。
【実施例】
【００３９】
表１に示すように、本発明に係る吸収体を備えた大人用パンツ型紙おむつを三種類製造し、実施例１〜３とした。実施例２は吸収コア寸法を６００ｍｍ×１９０ｍｍとした他は、実施例１と同様とした。実施例３はパルプ量及びポリマー量をそれぞれ３８．０ｇとした他は、実施例と同様とした。また大人用パンツタイプ紙おむつの市販品を３種類（全て製造会社が異なる）用意し、従来例１〜３とした。そして、これら実施例１〜３および従来例１〜３について、下記に示す加圧下吸収試験、吸収速度試験、傾斜表面液流れ試験および圧縮試験をそれぞれ行った。これらの試験結果を表１に合わせて示した。
【００４０】
（加圧下吸収試験）
本発明にいう加圧下吸収試験とは以下に示すものである。すなわち、
(1)  製品重量を測定し、規格に準じた重量であることを確認する。
(2)  起立カフス部をカットし、吸収体が縮まないようにする。
(3)  可能な限り平らな状態となるようにおむつをアクリル板で挟み込む。
(4)  錘を載せ、２０ｇ／ｃｍ2の荷重をかけた状態として、人工尿中に３０分間浸漬する。
(5)  ３０分後、人工尿中からおむつを取り出し、水切りは行わずに全重量を測定する。
(6)  測定した全重量から製品重量を差し引き、加圧下吸収量とする。
【００４１】
（吸収速度試験）
本発明にいう吸収速度試験とは以下に示すものであり、その概要が図７に示されている。すなわち、
(1)  吸収体の後側１１０ｍｍに印（受尿部）をつける。
(2)  おむつ３００を可能な限り平らに水平面ＰＬ上に貼り付け、四隅をガムテープで止める。
(3)  印位置に所定形状・サイズの吸収筒４００を立て、この吸収筒４００内に１回あたり１５０ｍｌの人工尿を注入し、吸収体に吸収させる。
(4)  人工尿を全量吸収するのに要した時間を測定する。３回測定を行い平均値を吸収速度とする。
【００４２】
（傾斜表面液流れ試験）
本発明にいう傾斜表面液流れ試験とは以下に示すものでああり、その概要が図８に示されている。すなわち、
(1)  おむつ３００を、腹側を上にして１５度の傾斜板３０１に平らに貼り付ける。
(2)  吸収体中央部に印３０２（受尿部）をつける。
(3)  滴下容器３０３を用い、高さ１０ｍｍの位置から１５ｃｃ／ｓｅｃの滴下速度で人工尿２００ｃｃを滴下・注入する。
(4)  １０分間隔で(3)を３回繰り返す。この際の液流れ距離をそれぞれ測定する。
【００４３】
（圧縮試験）
本試験では、図９に示すカトーテック社製ＫＥＳ−Ｇ５ハンディー圧縮試験機４００を用いる。本試験機４００は、試料台４０１の上の受圧板４０２（面積２ｃｍ2）の上に試料の測定部位を載せ、上方から加圧板４０３（面積２ｃｍ2）を下降させて試料を徐々に加圧させ、設定した最大荷重に達したら加圧板４０３を上昇させて圧力を徐々に弱めて試料を復元させ、この過程で試料に加わる加圧圧力と加圧板４０３のストローク量とを測定し、これらの測定結果に基づいて「圧縮かたさＬＣ」、「圧縮エネルギーＷＣ」および「圧縮回復性ＲＣ」を算出・表示するものである。
【００４４】
ここに本試験機により求まる「圧縮かたさＬＣ」、「圧縮エネルギーＷＣ」および「圧縮回復性ＲＣ」とは、図１０に示す圧縮曲線（縦軸：加圧圧力、横軸：ストローク量）が測定されたとき、次式により求まるものである。
ＷＣ＝面積ａ＋面積ｂ
ＬＣ＝（面積ａ＋面積ｂ）／三角形ＡＢＣの面積
ＲＣ＝面積ｂ／（面積ａ＋面積ｂ）
ここに、Ａ点は最大荷重点を意味し、Ｂ点は荷重が０．５ｇｆ／ｃｍ2の測定始点を意味し、Ｃ点はＡ点の荷重がゼロの点を意味する。
【００４５】
また本試験の結果得られる値の意味は次のようになる。
「圧縮かたさＬＣ」…値が１に近づくほど圧縮に対して硬いことを意味する。
「圧縮エネルギーＷＣ」…値が大きいほど圧縮されやすいことを意味する。
「圧縮回復性ＲＣ」…値が１００に近づくほど回復性が高いことを意味する。
【００４６】
そして、特に本発明にいう圧縮試験に限っては、上記のハンディー圧縮試験機４００を用い、加圧板の下降スピードを０．１ｃｍ／ｓｅｃに設定し、最大荷重が１００ｇ／ｃｍ2となるように設定し、ストロークが２０ｍｍとなるように設定した試験をいうものとする。
【００４７】
また、本発明の圧縮試験に際しては、図示しないがおむつの内面側を上にして試料台４０１上に平坦に貼り付け、吸収コア部位が受圧板４０２上に位置するようにした上で、同一のサンプルに対して３回測定を行い、平均値を評価値とする。
【００４８】
【表１】
2005052670.tif 000003
【００４９】
次いでこれら実施例１〜３および従来例１〜３の紙おむつを、在宅介護者２０名に夜間使用してもらい、漏れ防止効果を評価した。評価結果を表２に示す。
【００５０】
【表２】
2005052670.tif 000004
【００５１】
その結果、本発明に係る実施例１〜３の紙おむつは、夜間使用しても漏れが生じ無かったが、従来例１〜３の紙おむつは夜間使用により漏れが多発した。
【産業上の利用可能性】
【００５２】
本発明は、パンツ型紙おむつに適用できるものである。
【図面の簡単な説明】
【００５３】
【図１】本発明に係るパンツ型紙おむつの展開状態を示す、使用面側からの平面図である。
【図２】本発明に係るパンツ型紙おむつの周方向に沿う縦断面図である。
【図３】本発明に係るパンツ型紙おむつの縦方向に沿う縦断面図である。
【図４】本発明に係るパンツ型紙おむつの斜視図である。
【図５】他の伸縮部材配置形態を概略的に示す、展開状態平面図である。
【図６】別の伸縮部材配置形態を概略的に示す、展開状態平面図である。
【図７】本発明の吸収速度試験の概要図である。
【図８】本発明の傾斜表面液流れ試験の概要図である。
【図９】本発明の圧縮試験の概要図である。
【図１０】本発明の圧縮試験の測定結果例のグラフである。
【符号の説明】
【００５４】
１…外装シート、１０…吸収体、１１…透液性トップシート、１２…不透液性バックシート、１３…吸収コア、１４クレープ紙、２０Ｆ，２０Ｂ…ウエスト伸縮部材、２１Ｆ，２１Ｂ…腰下部伸縮部材、４０…起立用シート、５０…起立カフスの伸縮部材、Ｃ…起立カフス。
【図１】
2005052670.tif 000005
【図２】
2005052670.tif 000006
【図３】
2005052670.tif 000007
【図４】
2005052670.tif 000008
【図５】
2005052670.tif 000009
【図６】
2005052670.tif 000010
【図７】
2005052670.tif 000011
【図８】
2005052670.tif 000012
【図９】
2005052670.tif 000013
【図１０】
2005052670.tif 000014